(57)【要約】      （修正有）【課題】構成部材の構造が簡易で、組み立てが容易な包装箱体を提供する。【解決手段】包装箱体は、薄片状で、長方形状の第１紙片１２と、第１紙片１２と組み合わす第２紙片とを構成部材としている。第１紙片１２及び第２紙片は、長手方向の一方に設けられた接続片３０と、他方の側に設けられ、接続片が係合する切込部３２と、長手方向に対して垂直に設けられた複数の第１折曲予定線２０等と、第１紙片１２と第２紙片とを連結する連結部３４と、を備えている。更に、第１折曲予定線２０等は、第１紙片１２及び第２紙片を折曲予定線で折り曲げたとき、第１紙片１２及び第２紙片を、それぞれ等しい高さ幅を有する四角筒体状に形成するように設けてある。【選択図】図１
0003181318.tif 000002
【実用新案登録請求の範囲】
【請求項１】
薄片状で、長方形状の第１部材と、
前記第１部材と組み合わす、薄片状で、長方形状の第２部材と、を構成部材とし、
前記第１部材及び前記第２部材は、長方形状の長手方向の一方に設けられた接続片と、前記長手方向の他方の側に設けられ、前記接続片が係合する接続部と、前記長手方向に対して垂直に設けられた複数の折曲予定線と、前記第１部材と前記第２部材とを連結する連結部と、を備え、
更に、前記折曲予定線は、前記第１部材及び前記第２部材を前記折曲予定線で折り曲げたとき、前記第１部材及び前記第２部材を、それぞれ等しい高さ幅を有する四角筒体状に形成するように設けてあることを特徴とする包装箱体。
【請求項２】
前記第１部材と前記第２部材とは、同一の形状及び構成を有し、
前記折曲予定線を折り曲げて四角筒体状に形成した前記第１部材と前記第２部材とを、互いに直交する方向から組み合わせることを特徴とする請求項１に記載の包装箱体。
【請求項３】
前記第１部材と前記第２部材は、前記折曲予定線を折り曲げて四角筒体状に形成された前記第１部材と前記第２部材との平面視での、それぞれの縦横の長さ幅が縦横対称であり、
前記折曲予定線を折り曲げて四角筒体状に形成された前記第１部材と前記第２部材とを、互いに直交する方向から組み合わせることを特徴とする請求項１に記載の包装箱体。
【請求項４】
前記連結部は、コの字状に形成された切欠きであり、前記第１部材に設けられた連結部と前記第２部材に設けられた連結部とを連結させたとき、前記第１部材と前記第２部材とを、直交した状態で連結させることを特徴とする請求項１〜３のいずれか１項に記載の包装箱体。
【請求項５】
四角筒体状に形成された前記第１部材の四角筒体状の内側に通した前記第２部材の前記接続片と前記接続部とを、前記第１部材の四角筒体状の外側で接続させることを特徴とする請求項１〜４のいずれか１項に記載の包装箱体。
【請求項６】
四角筒体状に形成された前記第１部材の四角筒体状の内側に、四角筒体状に形成された前記第２部材を組み合わせることを特徴とする請求項１〜４のいずれか１項に記載の包装箱体。
【請求項７】
前記包装箱体の、四角筒体状に形成された前記第１部材もしくは前記第２部材の、四角筒体状の内側に、前記包装箱体以外の他の包装箱体の第１部材あるいは第２部材を通して前記他の包装箱体を形成し、前記包装箱体に前記他の包装箱体を連結することを特徴とする請求項１〜６のいずれか１項に記載の包装箱体。
【考案の詳細な説明】
【技術分野】
【０００１】
本考案は、容器を外方から包む包装箱体に関する。
【背景技術】
【０００２】
茶葉等を収納する容器に、金属製の偏平で円形の缶容器が知られている。又、缶容器に収納した商品を贈答用に用いるには、缶容器のままより、包装紙等で缶容器に包装を施した方が体裁が良好になる。
【０００３】
一方、偏平で円形の缶容器は、包装紙で包装しにくい。又、それら缶容器は、縦に積んだり、横に整列させにくく、商品棚などに陳列しにくいこともある。更に、円形の缶容器は、容器の側面に印刷された商品名等の文字を正面に向けても、位置がずれてしまったり、湾曲した側面に書かれている文字が、正面から読みづらいことがある。そのため、偏平で円形の缶容器の場合、缶容器がちょうど収まる大きさの、例えば四角い紙箱内に収容することがある。
【０００４】
又、紙箱として、組み立てが簡単で、見栄えがよく、しかも強度を有する紙箱の発明が知られている。（特許文献１参照）
【先行技術文献】
【特許文献】
【０００５】
【特許文献１】特開２００６−７６５７４号公報
【考案の概要】
【考案が解決しようとする課題】
【０００６】
しかしながら、紙箱は、紙箱を組み立てる前の組み立て用紙の形状が複雑である。例えば、組み立て用紙は、紙箱の底となる部分のそれぞれ４つの辺に側壁となる部分が取り付けられ、更にその側壁部分の１つに紙箱の蓋部となる部分を取り付けて構成されることが多い。そのため、金型が複雑となり、また組み立て用紙を原料の紙材から型抜きした場合、紙箱に使用されない余白部分が多く発生してしまうことがあった。
【０００７】
又、平板状の組み立て用紙から紙箱を作成するには、底部分と側壁部分との境の折曲予定線を折り曲げたり、各部分を組み付けるなど、組み立て作業に手間がかかっていた。更に、缶容器を包装紙で包装するために、コストと手間のかかる紙容器に缶容器を収容して包装することは過剰包装となることもある。
【０００８】
本考案は、構成部材が簡易で、しかも容易に組み立てができ、かつ、良好な外観を有する包装箱体を提供することを目的とする。
【課題を解決するための手段】
【０００９】
上記の課題を解決し、目的を達成するため、本考案にかかる包装箱体は、次のように構成されている。
【００１０】
包装箱体は、薄片状で、長方形状の第１部材と、第１部材と組み合わす、薄片状で、長方形状の第２部材と、を構成部材としている。第１部材及び前記第２部材は、長方形状の長手方向の一方に設けられた接続片と、長手方向の他方の側に設けられ、接続片が係合する接続部と、長手方向に対して垂直に設けられた複数の折曲予定線と、第１部材と第２部材とを連結する連結部と、を備えている。更に、折曲予定線は、第１部材及び第２部材を折曲予定線で折り曲げたとき、第１部材及び第２部材を、それぞれ等しい高さ幅を有する四角筒体状に形成するように設けてある。
【考案の効果】
【００１１】
本考案によれば、第１部材と第２部材との２つの部材から、容器の外方を包む包装箱体が簡易に形成できる。第１部材と第２部材とは、長方形で、しかも同一の形状で形成されることから、無駄が少なく、低コストで、かつ容易に構成部材を形成できる。
【００１２】
第１部材及び第２部材は、折曲予定線で折り曲げ、接続片を接続させるだけであるので、容易に組み立てができる。包装箱体は直方体であるので、包装箱体に収容した缶容器を、容易に、かつ贈答用にも見栄えよく包装紙で包装できる。包装箱体は、第１部材と第２部材との２種類の部材で構成するので、それぞれに適宜配色することにより良好な見栄えを得ることができる。
【図面の簡単な説明】
【００１３】
【図１】本考案の一実施形態にかかる包装箱体の第１紙片を示す平面図。
【図２】同第１紙片を示す正面図。
【図３】第１紙片と第２紙片とを重ね合わせた状態を示す斜視図。
【図４】包装箱体を組み立てている状態を示す斜視図。
【図５】包装箱体を示す斜視図。
【図６】包装箱体を示す斜視図。
【図７】包装箱体を示す斜視図。
【図８】他の例の包装箱体を示す斜視図。
【図９】複数の包装箱体を積み上げた状態を示す斜視図。
【考案を実施するための形態】
【００１４】
本考案の実施形態にかかる包装箱体について図を用いて説明する。図１は、本考案の第１実施形態にかかる包装箱体１０を構成する第１紙片１２を示す斜視図であり、図２は、第１紙片１２を示す正面図であり、図３、図４は、組み立て途中の包装箱体１０を示す斜視図である。以下、包装箱体１０について、図７に示すように置いた包装箱体１０を基準に、包装箱体１０の上下を定めて説明する。更に、包装箱体１０の外表面から内部に向かう方向を内側、その逆を外側として説明する。
【００１５】
包装箱体１０は、図３、図４に示すように、第１部材としての第１紙片１２と第２部材としての第２紙片１４とを構成部材としている。
【００１６】
次に、第１紙片１２について、図１、図２を用いて説明する。尚、第２紙片１４は、第１紙片１２と同一の形状、構成を有している。
【００１７】
第１紙片１２は、紙製で、図１に示すように長方形を有している。尚、第１紙片１２や第２紙片１４は、片状で、折曲可能な材質であれば、素材を特に紙に限定しない。又、第１紙片１２と第２紙片１４とは、異なる材質であってもよい。
【００１８】
第１紙片１２には、図１の左側から、第１折曲予定線２０と、第２折曲予定線２２と、第３折曲予定線２４と、第４折曲予定線２６とが設けられている。
【００１９】
第１紙片１２は、長手方向の一端（図１の左端）に、接続片３０が設けられている。第１紙片１２の接続片３０が設けられている側の他端側には、接続片３０の横幅より若干広い幅を有する接続部としての切込部３２が設けられている。切込部３２は、接続片３０を差し込められる切欠きである。更に、第１紙片１２のほぼ中央部分には、連結部３４が設けられている。連結部３４は、コの字状の切れ込みで、縦横比がほぼ同一に形成されている。
【００２０】
第１紙片１２は、第１折曲予定線２０から第４折曲予定線２６の４つの折曲予定線により、２つの側壁と、蓋部と、底部とに区画形成されている。具体的には、第１紙片１２の接続片３０が設けられた端縁から第１折曲予定線２０までの間が、第１蓋部４０である。そして、第１紙片１２の第１折曲予定線２０から第２折曲予定線２２までの間が、第１側壁４２である。同様に、第１紙片１２の第２折曲予定線２２から第３折曲予定線２４までの間が、底部４４である。第１紙片１２の第３折曲予定線２４から第４折曲予定線２６までの間が、第２側壁４６である。第１紙片１２の第４折曲予定線２６から第１紙片１２の他方の端縁２８までの間が、第２蓋部４８である。
【００２１】
切込部３２は、第２蓋部４８に設けられている。接続片３０を切込部３２に差し入れると、第１紙片１２の一端、すなわち第１蓋部４０が第２蓋部４８に係合される。接続片３０と切込部３２とで係合された第１蓋部４０と第２蓋部４８とで、蓋部５０（図７参照）が形成される。
【００２２】
第１側壁４２と第２側壁４６とは、等しい高さ幅に形成されている。又、底部４４と蓋部５０とは、正方形で、等しい大きさに形成されている。これにより、第１紙片１２の第１折曲予定線２０から第４折曲予定線２６をそれぞれ折り曲げ、接続片３０を切込部３２に差し入れて、第１紙片１２を環状に形成すると、第１紙片１２は、四角筒体状に形成される。
【００２３】
又、連結部３４は、底部４４の中央に設けられている。連結部３４は、コの字状の切欠きで、コの字の両側の切り込みを、第２折曲予定線２２等に沿わせて形成されている。
【００２４】
第１紙片１２を四角筒体状に形成した状態を図４に示す。第２紙片１４は、第１紙片１２と同様に形成されている。ここで、第２紙片１４と第１紙片１２とが、同一の形状であるとは、同一の外形を有していることをいい、同一の構成とは、第１折曲予定線２０から第４折曲予定線２６や接続片３０等の各構成部材が、その設置位置や長さ、大きさ等も含めて、同一であることをいう。したがって、第２紙片１４の第１折曲予定線２０から第４折曲予定線２６を折り曲げると、第２紙片１４は、第１紙片１２と同様に四角筒体状に形成される。
【００２５】
次に、第１紙片１２と第２紙片１４とにより、包装箱体１０を形成する点について説明する。図３に示すように、第１紙片１２の上に第２紙片１４を直角に重ね合わせ、それぞれの連結部３４どうしを連結させる。これにより第１紙片１２と第２紙片１４とは、直角に交差した状態で、それぞれの底部４４が連結部３４により係合される。
【００２６】
そして、缶容器を、第２紙片１４の上に置く。第１紙片１２の第１折曲予定線２０から第４折曲予定線２６のそれぞれを折り曲げ、接続片３０を切込部３２に差し入れて、図４に示すように第１紙片１２を四角筒体状に形成する。尚、缶容器は、図４に示すように第１紙片１２を四角筒体状に形成してから、第１紙片１２の内側に収容させてもよい。
【００２７】
第２紙片１４を、第１折曲予定線２０から第４折曲予定線２６で折り曲げる。第２紙片１４の第１蓋部４０と第２蓋部４８は、第１紙片１２の上部で重ね合わせ、接続片３０を切込部３２に差し入れて、第２紙片１４を四角筒体状に形成する。これにより、図７に示すように缶容器６０は、直交する第１紙片１２と第２紙片１４との内部に収容される。
【００２８】
したがって、第１実施形態の包装箱体１０によれば、第１紙片１２と第２紙片１４とにより、包装箱体１０を簡易に形成できる。第１紙片１２と第２紙片１４は、長方形の紙片であり、容易に、しかも無駄なく形成することができる。
【００２９】
包装箱体１０は、直方体であるので、包装箱体１０に収容した缶容器６０が並べやすく、又、側壁表面に文字等を見やすく表示できる。第１紙片１２及び第２紙片１４を、体裁のよい素材で形成することにより、包装箱体１０の外観を良好にできる。
【００３０】
包装箱体１０は、直方体に形成されるので、包装紙により容易に包装ができ、更に、贈答用の包装紙等を用いて包装することにより、見栄えを良好にできる。又、包装箱体１０に収容した缶容器６０を、包装紙を用いて包装する場合、包装箱体１０を、再利用紙を用いて形成するなど、簡易な構成とすることにより、環境負荷の低い包装が可能となる。
【００３１】
次に、第２実施形態の包装箱体１０について説明する。この例は、第１紙片１２と第２紙片１４とを、図５に示すように、それぞれ第１折曲予定線２０から第４折曲予定線２６を折り曲げ、接続片３０を切込部３２に差し入れて、それぞれを四角筒体状に形成する。
【００３２】
缶容器を、例えば第１紙片１２の筒体内に、側方から差し入れて収容する。そして、他方の四角筒体状に形成した第２紙片１４を、図６に示すように第２紙片１４の側壁が第１紙片１２の筒体の開口部に位置するよう（第２実施形態では、この状態を、第１紙片１２と第２紙片１４とが直交した状態という）にして四角筒体状に形成した第１紙片１２の外側に嵌め合せる。
【００３３】
第１紙片１２と第２紙片１４とは、同一の形状であるが、一方の側壁が上下に湾曲したり、広がったりすることにより無理なく両者を嵌め合せることができる。そして、第１紙片１２に第２紙片１４を嵌め合せる途中で、第１紙片１２と第２紙片１４とのそれぞれの底部４４に形成されている連結部３４どおしを組み付ける。連結部３４は、コの字状であるので、一方が、他方の連結部３４に、横から差し込まれるようにして組み付けられる。第２紙片１４を第１紙片１２に完全に嵌め合せると、双方の連結部３４が正確に連結される。
【００３４】
このように包装箱体１０を形成すると、一方が他方に挿入される直交した第１紙片１２と第２紙片１４との中に図７に示すように缶容器６０が収容される。そして、缶容器６０が包装箱体１０に収容されると、連結部３４どおしが連結するので、両者の位置決めができ、しかも、第２紙片１４が嵌め合せ位置を過ぎて第１紙片１２から抜け出てしまうことがない。又、第１紙片１２を第２紙片１４から引き抜くことにより、容易に缶容器６０を取り出すことができる。
【００３５】
このように包装箱体１０を用いても、缶容器６０を第１紙片１２と第２紙片１４とにより外側から包むことができ、第１実施形態と同様の効果を得ることができる。
【００３６】
以上説明したように、包装箱体１０によれば、第１紙片１２と第２紙片１４との２つの部材から、缶容器６０を外側から包むことができる。第１紙片１２と第２紙片１４とは、共に、長方形の紙片であり、しかも同一の形状でよいので容易に形成できる。又、第１紙片１２と第２紙片１４とは、四角筒体状に折り曲げるだけであるので、組み立て作業が容易である。
【００３７】
第１紙片１２と第２紙片１４との色彩を変更すると、２色に色分けされた包装箱体１０を形成できる。連結部３４により、第１紙片１２と第２紙片１４とを連結させることができ、取扱いを容易にできる。容易に包装紙で包装することができる。
【００３８】
第３の実施形態について、図８を用いて説明する。図８に示す包装箱体１１は、四角筒体状に形成した第１紙片１２と第２紙片１４とから形成されている。第１紙片１２は、平面視で、第２側壁４６の長さ幅がａであり、第１側壁４２と第２側壁４６との間隔幅がｂとなっている。一方、第２紙片１４は、平面視で、第２側壁４６の長さ幅がｂであり、第１側壁４２と第２側壁４６との間隔幅がａとなっている。
【００３９】
このように平面視における、第１紙片１２の縦横の長さ幅が、第２紙片１４の縦横の長さ幅と縦横対称になっている。このように、縦横の長さ幅を変更すると、平面視で正方形でなく、平面視で長方形の包装箱体１１が形成できる。すると、複数の円形の缶容器や、楕円形の缶容器を包装箱体１１で包むことができる。
【００４０】
更に、図９に示すように第１紙片１２と第２紙片１４とからなる包装箱体１０（第１包装箱体１０とする）の上に、他の包装箱体１０（第２包装箱体１０とする）を連続して積み重ねることができる。これは、第１包装箱体１０の第２紙片１４と第１紙片１２との間に、第２包装箱体１０の第１紙片１２を差し入れる。第２包装箱体１０の第１紙片１２は、第１包装箱体１０の第２紙片１４と直交させる。
【００４１】
第２包装箱体１０の第１紙片１２の上に第２包装箱体１０の第２紙片１４を直交させて重ね、第２包装箱体１０の第１紙片１２の上に缶容器６０を置く。そして、第１紙片１２を折り曲げ、接続片３０を切込部３２に差し入れて、第１紙片１２を四角筒体状に形成する。そして、第２包装箱体１０の第２紙片１４を折り曲げ、接続片３０を切込部３２に差し入れて、第２紙片１４を四角筒体状に形成する。
【００４２】
これにより、第１包装箱体１０に重ねた第２包装箱体１０の内部に缶容器６０を収容させることができる。これを、順次重ねることで、複数の缶容器６０を包装箱体１０により上下に積み上げることができる。第１紙片１２と第２紙片１４とを、二種類、あるいはそれ以上の複数の色に着色された素材で形成すると、包装箱体１０を重ねたときに見栄えを向上できる。又、包装箱体１０が相互に連結されていることから、複数の包装箱体１０を、積み重ねた状態で包装紙で容易に包装できる。
【００４３】
尚、第２包装箱体１０の第２紙片１４を、第２包装箱体１０の第１紙片１２の下側で接続させ、第２実施形態で説明したように、四角筒体状に形成した第２紙片１４を第１紙片１２から引き抜くことができるようにしてもよい。
【００４４】
尚、本考案の包装箱体は、前記第１〜第３実施形態に限るものでなく、本考案の趣旨の範囲内において、適宜変更が可能である。例えば、包装箱体１０の各側壁は、突き合せた角部で密着せず、側壁間に隙間があいていてもよい。
【産業上の利用可能性】
【００４５】
本考案は、缶容器等を外方から包む包装箱体に利用できる。
【符号の説明】
【００４６】
１０、１１…包装箱体、１２…第１紙片、１４…第２紙片、２０…第１折曲予定線、２２…第２折曲予定線、２４…第３折曲予定線、２６…第４折曲予定線、２８…端縁、３０…接続片、３２…切込部、３４…連結部、４０…第１蓋部、４２…第１側壁、４４…底部、４６…第２側壁、４８…第２蓋部、５０…蓋部、６０…缶容器。
【図１】
0003181318.tif 000003
【図２】
0003181318.tif 000004
【図３】
0003181318.tif 000005
【図４】
0003181318.tif 000006
【図５】
0003181318.tif 000007
【図６】
0003181318.tif 000008
【図７】
0003181318.tif 000009
【図８】
0003181318.tif 000010
【図９】
0003181318.tif 000011